(57)【要約】【課題】シールドケースに設けられている調整用孔をその調整後に確実に覆ってシールド効果を高めることができる計測機器のシールド構造の提供。【解決手段】内蔵させた実装回路部材が搭載する調整機能付き部品との対面部位にこれを調整する際に用いる調整用孔３４をその一側面３３に穿設したシールドケース３２をケーシング１２内に収納してなる計測機器のシールド構造において、ケーシング１２は、一側面３３側に開口面１４を配してシールドケース３２を収納するケース本体１３と、開口面１４側を覆う蓋体１５とで構成され、該蓋体１５は、シールドケース３２の一側面３３にあって個々の調整用孔３４の配設領域をカバーする対面部位に調整用孔３４を一括表出させるための切欠面１６を設けるとともに、該切欠面１６には、これと対面合致するシールドカバー４２を着脱自在に密接配置した。【選択図】図１
2006108570.tif 000002
【特許請求の範囲】
【請求項１】
内蔵させた実装回路部材が搭載する各種実装部品中における調整機能付き部品との対面部位に該調整機能付き部品を調整する際に用いる調整用孔をその一側面に穿設したシールドケースをケーシング内に収納してなる計測機器のシールド構造において、
前記ケーシングは、前記一側面側に開口面を配して前記シールドケースを収納するケース本体と、前記開口面側を覆う蓋体とで構成され、
該蓋体は、シールドケースの前記一側面にあって個々の前記調整用孔の配設領域をカバーする対面部位に前記調整用孔を一括表出させるための切欠面を設けるとともに、
該切欠面には、これと対面合致するシールドカバーを着脱自在に密接させたことを特徴とする計測機器のシールド構造。
【請求項２】
前記シールドカバーは、その内側面に導電層を設けた請求項１に記載の計測機器のシールド構造。
【請求項３】
前記シールドカバーは、その対向２辺側と蓋体側の前記切欠面を画成する周縁部の対応部位との間に生成される係合部を介して前記一側面側へと密接配置した請求項１または２に記載の計測機器のシールド構造。
【発明の詳細な説明】
【技術分野】
【０００１】
本発明は、内蔵させた実装回路基板を含む実装回路部材に搭載されている各種実装部品中の調整機能付き部品のための調整用孔を備えるシールドケースを、外部からノイズの影響を受けたり、外部に対しノイズを漏出させないようにしてケーシング内に収納できるようにした計測機器のシールド構造に関する技術である。
【背景技術】
【０００２】
波形記録計を含む各種計測機器には、各種入力ユニットとしてその組み替えを可能に形成された計測用アンプが搭載できる構造を備えているものもある。そして、該計測用アンプが備える実装回路基板を含む実装回路部材は、その電気回路が外部からのノイズにより影響を受けたり、外部に対しノイズを漏出させたりすることのないようにシールドケースに内蔵させて電気的に遮蔽した上で、計測器を構成しているケーシング内に収納しておく必要がある。
【０００３】
しかし、実装回路部材には、可変抵抗器や可変コンデンサなどのような調整機能付き部品を含む各種実装部品が搭載されており、このうちの調整機能付き部品については、製品出荷時などに最終調整したり、事後的に調整したりしなければならない場合もある。
【０００４】
この場合、調整が必要になる都度、ケーシング側の蓋体を開け、さらにシールドケースを開けることで調整機能付き部品を調整していたのでは、工程的な煩雑さを招いて作業効率を低下させることになる。このため、従来においては、調整機能付き部品の位置との関係で定まるシールドケースの所定部位と、蓋体の対応部位とに調整用孔を予め穿設しておき、これらの調整用孔を介して直ちに調整機能付き部品に対する調整作業を行うことができるように工夫されているものもある。
【０００５】
しかし、蓋体とシールドケースとに調整用孔を設けるということは、それだけシールド効果を低下させることを意味し、計測用アンプを含む計測機器に対する精度要求が高くなるにつれて、かかるシールド効果の低下現象は無視できないものとなってきている。
【０００６】
このため、シールドケースに調整用孔が穿設されている場合には、シールドケースの対応部位に可動シールド片を回動自在に軸支させておくことで、調整用孔を介しての調整機能付き部品に対する調整を終えた後に該可動シールド片で覆っておくようにしたものも、例えば下記特許文献１の開示技術のように既に提案されている。
【特許文献１】特開平８−２７９６８７号公報
【発明の開示】
【発明が解決しようとする課題】
【０００７】
しかし、上記特許文献１に開示されているように可動シールド片を用いる場合には、該可動シールド片で覆うことができる領域内に調整用孔を穿設しておく必要があり、それだけ設計の自由度が制約されるという不都合があった。
【０００８】
本発明は、従来技術の上記課題に鑑み、シールドケースに調整用孔がランダムに穿設されていても、調整機能付き部品に対する調整を終えた後に全ての調整用孔を確実に覆ってシールド効果を高めることができる計測機器のシールド構造を提供することに目的がある。
【課題を解決するための手段】
【０００９】
本発明は、上記目的を達成すべくなされたものであり、内蔵させた実装回路部材が搭載する各種実装部品中における調整機能付き部品との対面部位に該調整機能付き部品を調整する際に用いる調整用孔をその一側面に穿設したシールドケースをケーシング内に収納してなる計測機器のシールド構造において、前記ケーシングは、前記一側面側に開口面を配して前記シールドケースを収納するケース本体と、前記開口面側を覆う蓋体とで構成され、該蓋体は、シールドケースの前記一側面にあって個々の前記調整用孔の配設領域をカバーする対面部位に前記調整用孔を一括表出させるための切欠面を設けるとともに、該切欠面には、これと対面合致するシールドカバーを着脱自在に密接させたことを最も主要な特徴とする。
【００１０】
この場合、前記シールドカバーは、その内側面に導電層を設けておくのが望ましい。また、前記シールドカバーは、その対向２辺側と蓋体側の前記切欠面を画成する周縁部の対応部位との間に生成される係合部を介して前記一側面側へと密接配置するのが好ましい。
【発明の効果】
【００１１】
本発明のうち、請求項１に係る発明によれば、ケーシングを構成している蓋体には、シールドケースの調整用孔の配設領域をカバーする対面部位に調整用孔を一括表出させるための切欠面が設けられており、該切欠面は、シールドカバーを密接させて覆うことができるので、調整用孔を介しての調整機能付き部品に対する調整を終えた後にシールドカバーで切欠面を覆うことで、全ての調整用孔を表出させることなく覆ってシールド効果を高めてやることができる。
【００１２】
また、請求項２に係る発明によれば、シールドカバーの内側面に導電層が設けられているので、切欠面を覆った際により優れたシールド効果を発揮させることができる。
【００１３】
さらに、請求項３に係る発明によれば、シールドカバーは、切欠面を画成する周縁部の対応部位との間に生成される係合部を介してシールドケースの一側面側に空隙を少なくして密接配置することができるので、シールド効果の向上により有効に寄与させながら、ワンタッチ操作での着脱も可能とすることができる。
【発明を実施するための最良の形態】
【００１４】
図１は、本発明の一例をシールドカバーを外した状態で示す説明図であり、そのうちの（ａ）は左側斜視図を、（ｂ）は右側斜視図をそれぞれ示す。
【００１５】
同図によれば、波形記録計などの図示しない計測機器には、計測用アンプを含む各種の入力ユニット１１がその組み替えを可能にして装着されている。該入力ユニット１１は、合成樹脂材などの絶縁材を用いて形成されるケーシング１２を備えており、該ケーシング１２内には、実装回路基板を含む実装回路部材（図示せず）を内蔵させた導電材からなるシールドケース３２が収納されている。
【００１６】
この場合、シールドケース３２は、内蔵させた実装回路部材が搭載する各種実装部品中における可変抵抗器や可変コンデンサなどの調整機能付き部品（図示せず）との対面部位である一側面３３に、該調整機能付き部品を調整する際に用いる調整用孔３４を穿設して形成されている。
【００１７】
一方、ケーシング１２は、収納されるシールドケース３２の一側面３３側に開口面１４が配されるように形成されているケース本体１３と、開口面１４側を覆う蓋体１５とで構成されている。
【００１８】
この場合、蓋体１５は、シールドケース３２の一側面３３にあって個々の調整用孔３４の配設領域をカバーする対面部位にこれらの調整用孔３４を一括表出させるための切欠面１６を設けて形成されており、該切欠面１６側には、これと対面合致するように密接配置されるシールドカバー４２が着脱自在に取り付けられている。
【００１９】
図２ないし図５は、蓋体１５の切欠面１６側に対するシールドカバー４２の取り付け状態をより具体的に示す説明図である。このうち、図２は、蓋体１５の切欠面１６側に対しシールドカバー４２を取り付けた状態で示す左側面図であり、図３（ａ）は、図２におけるＡ−Ａ線矢視方向での断面図を、図３（ｂ）は、図２におけるＢ−Ｂ線矢視方向での断面図をそれぞれ示す。また、図４（ａ）は、図３（ａ）においてＣとして示される囲繞部位の拡大図を、図４（ｂ）は、図３（ａ）においてＤとして示される囲繞部位の拡大図をそれぞれ示す。さらに、図５（ａ）は、図３（ｂ）においてＥとして示される囲繞部位の拡大図を、図５（ｂ）は、図３（ｂ）においてＦとして示される囲繞部位の拡大図をそれぞれ示す。
【００２０】
これらの図によれば、シールドカバー４２の対向２辺側、図２においては左側縁４３と右側縁４６と、蓋体１５にあって切欠面１６を画成している開口縁１７の対応部位である左側縁１８と右側縁２２との間にそれぞれ係合部  を生成させることで、シールドカバー４２を一側面３３側へと密接配置できるようにして形成されている。
【００２１】
すなわち、シールドカバー４２の左側縁４３には、図４（ａ）に示されているように受け口状の差込み用舌片４４が、図１に示すように上下２カ所に各別に延設されているほか、同左側縁３３の中央位置には、図５（ａ）に示されているように庇状の支持用舌片４５が延設されている。
【００２２】
また、蓋体１５にて切欠面１６を画成している開口縁１７において、シールドカバー４２の左側縁４３との対向側に位置する左側縁１８には、図４（ａ）に示すようににシールドカバー４２を取り付ける際に差込み用舌片４４のための差込み空間を確保する支持部１９と、図５（ａ）に示すように支持用舌片４５の下方に確保される支持空間内に差し込んで上支えされる差込み部２１とが各別に形成されている。このため、差込み用舌片４４と支持部１９との間には係合部２５が、支持用舌片４５と差込み部２１との間には係合部２６がそれぞれ生成されることになる。
【００２３】
一方、シールドカバー４２の右側縁４６には、図４（ｂ）に示されているように受け口状の差込み用舌片４７が、図１に示すように上下２カ所に各別に延設されているほか、同右側縁４６の中央位置には、図５（ｂ）に示されているように内方に湾入させて切欠部４８を画成している開放縁４９から受け口状の差込み用舌片５０が延設されている。
【００２４】
また、蓋体１５にて切欠面１６を画成している開口縁１７において、シールドカバー４２の右側縁４６との対向側に位置する右側縁２２には、シールドカバー４２を取り付ける際に差込み用舌片４７のための差込み空間を確保する支持部２３と、その取り付け時に切欠部４８内に位置して差込み用舌片５０のための差込み空間を確保する庇状の支持用舌片２４とが各別に形成されている。
このため、差込み用舌片４７と支持部２３との間には係合部２７が、差込み用舌片５０と支持用舌片２４との間には係合部２８がそれぞれ生成されることになる。
【００２５】
この場合、差込み用舌片４７と支持部２３および差込み用舌片５０と支持用舌片２４とのそれぞれは、シールドカバー４２の右側縁４６を蓋体１５の切欠面１６側の右側縁２２に密接させた際に、図６、図８（ａ）および図９（ａ）に示すように、シールドカバー４２の左側縁４３が蓋体１５の切欠面１６側の左側縁１８側から離間して差込み空間２９を確保できるように相互の長さ関係を調整して形成されている。
【００２６】
また、シールドカバー４２の支持用舌片４５の近傍位置には、図３（ｂ）に示されているようにその面方向と直交する方向にねじ３０を導入するためのガイド筒５１が突設されており、該ガイド筒５１を介してシールドカバー４２をケース本体１３側にねじ３０止めすることができるようになっている。
【００２７】
さらに、シールドカバー４２が絶縁材により形成されている場合には、その内側面にアルミ箔や銅箔などの導電シートを貼着したり、導電めっきや導電塗料を付着させた導電層５２を設けておく必要がある。
【００２８】
次に、上記構成からなる本発明につき、蓋体１５に対するシールドカバー４２の着脱操作を図示例に基づいて説明する。
【００２９】
図１に示すように開蓋状態にあるシールドカバー４２は、これを蓋体１５の切欠面１６側に施蓋するに際し、まず、図１０（ａ），（ｂ）に示されているようにその右側縁４６側を蓋体１５の切欠面１６側における右側縁２２に対面させ、上下の差込み用舌片４７のそれぞれは蓋体１５の支持部２０の下方へと、中央に位置する差込み用舌片５０は蓋体１５の支持用舌片２４の下方へと、図１０（ａ），（ｂ）に示すようにそれぞれ斜め方向から差し込む。
【００３０】
このようにしてシールドカバー４２を差し込んだ後は、その左側縁１８側を含め蓋体１５の切欠面１６を覆うようしてシールドカバー４２を密接させる。このとき、シールドカバー４２の左側縁４３に設けられている差込み用舌片４４と支持用舌片４５とは、図６、図８（ａ）および図９（ａ）からも明らかなように蓋体１５の切欠面１６の左側縁１８側にて差込み空間２９から表出された状態にある。なお、図８（ｂ）と図９（ｂ）とは、その際におけるシールドカバー４２の右側縁４６側と蓋体１５の切欠面１８側の右側縁２２との間の配置関係を拡大して示す説明図である。
【００３１】
次いで、シールドカバー４２は、その左側縁４３に設けられている差込み用舌片４４は蓋体１５の切欠面１６側の左側縁１８の支持部１９内に、支持用舌片４５は差込み部２１上にそれぞれが位置するように左側方向にスライドさせることで、図２〜図５に示す配置関係のもとで蓋体１５側に取り付けることができる。
【００３２】
しかも、このとき、シールドカバー４２は、その左側縁４３と右側縁４６との二辺を介して蓋体１５側に支持されることから、その内側面に設けてある導電層５２を、シールドケース３２の一側面３３側へと安定的に密接させることができるので、シールドケース３２内の実装回路基板を含む実装回路部材の電気回路が外部からのノイズにより影響を受けたり、外部に対しノイズを漏出させたりすることのないシールド効果を付与することができる。なお、図示例では、シールドカバー４２のガイド筒５１内にねじ３０を送り込み、ガイド筒５１に支持させた状態で該ねじ３０を螺着することでその施蓋状態をより確実なものとしている。
【００３３】
また、逆の手順を踏んで蓋体１５側からシールドカバー４２を取り外すことで、シールドケース３２の一側面３３に設けられている調整用孔３４を図１に示すように直ちに表出させることができるので、これらの調整用孔３４を介して必要な調整を簡単に行うことができる。
【００３４】
以上は、本発明を図示例に基づいて説明したものであり、その具体的な構成はこれに限定されるものではない。例えば、シールドカバー４２の左側縁４３および右側縁４６と、蓋体１５における切欠面１６側の左側縁１８および右側縁２２との対応関係は、左右を入れ替えて構成したり、上下二辺側で担当させるものであってもよい。また、シールドカバー４２の表面側には、スライド操作を容易に行うことができるように摩擦係数を高める凹凸を付与したり、小抓みを設けておくこともできる。さらに、シールドカバー４２と蓋体１５側との間に生成される係合部の位置や数も必要に応じて設計変更することができる。
【図面の簡単な説明】
【００３５】
【図１】本発明の一例をシールドカバーを外した状態で示す説明図であり、そのうちの（ａ）は左側斜視図を、（ｂ）は右側斜視図をそれぞれ示す。
【図２】、蓋体の切欠面側に対しシールドカバーを取り付けた状態で示す左側面図。
【図３】（ａ）は、図２におけるＡ−Ａ線矢視方向での断面図を、（ｂ）は、図２におけるＢ−Ｂ線矢視方向での断面図をそれぞれ示す。
【図４】（ａ）は、図３（ａ）においてＣとして示される囲繞部位の拡大図を、ｂ）は、図３（ａ）においてＤとして示される囲繞部位の拡大図をそれぞれ示す。
【図５】（ａ）は、図３（ｂ）においてＥとして示される囲繞部位の拡大図を、（ｂ）は、図３（ｂ）においてＦとして示される囲繞部位の拡大図をそれぞれ示す。
【図６】蓋体の切欠面側に対しシールドカバーの右側縁側を差し込んだ状態で示す左側面図。
【図７】（ａ）は、図６におけるＧ−Ｇ線矢視方向での断面図を、（ｂ）は、図６におけるＨ−Ｈ線矢視方向での断面図をそれぞれ示す。
【図８】（ａ）は、図７（ａ）においてＩとして示される囲繞部位の拡大図を、（ｂ）は、図７（ａ）においてＪとして示される囲繞部位の拡大図をそれぞれ示す。
【図９】（ａ）は、図７（ｂ）においてＫとして示される囲繞部位の拡大図を、（ｂ）は、図７（ｂ）においてＬとして示される囲繞部位の拡大図をそれぞれ示す。
【図１０】（ａ）は、シールドカバーの右側縁を蓋体側に斜め方向から差し込んだ状態での左側面図を、（ｂ）は同平面図をそれぞれ示す。
【符号の説明】
【００３６】
１１  入力ユニット
１２  ケーシング
１３  ケース本体
１４  開口面
１５  蓋体
１６  切欠面
１７  開口縁
１８  左側縁
１９  支持部
２１  差込み部
２２  右側縁
２３  支持部
２４  支持用舌片
２５，２６，２７，２８係合部
２９  差込み空間
３０  ねじ
３２  シールドケース
３３  一側面
３４  調整用孔
４２  シールドカバー
４３  左側縁
４４  差込み用舌片
４５  支持用舌片
４６  右側縁
４７  差込み用舌片
４８  切欠部
４９  開放縁
５０  差込み用舌片
５１  ガイド筒部
５２  導電層
【図１】
2006108570.tif 000003
【図２】
2006108570.tif 000004
【図３】
2006108570.tif 000005
【図４】
2006108570.tif 000006
【図５】
2006108570.tif 000007
【図６】
2006108570.tif 000008
【図７】
2006108570.tif 000009
【図８】
2006108570.tif 000010
【図９】
2006108570.tif 000011
【図１０】
2006108570.tif 000012